(57)【要約】【課題】チップ面積を削減する垂直周波数判別回路及び垂直周波数判別方法、並びに垂直周波数判別回路を備えた映像表示装置を提供する。【解決手段】垂直周波数判別回路（１０００）の垂直系パルス作成部（１００）は、垂直同期信号（ＶＳＹＮＣ）が到来するまでの所定期間にノイズの入力を禁止するためのノイズ除去信号（ＶＳＣ）を生成する。判別結果ラッチ部（２００）は、ノイズ除去信号（ＶＳＣ）及びノイズ除去信号の反転信号（ＮＶＳＹＮＣ）を垂直同期信号（ＶＳＹＮＣ）の入力のタイミングでサンプリングし、２つの出力信号を生成する。出力選択部（３００）は、モード設定信号（ＰＡＬＭＯＤＥ）に基づいて、判別結果ラッチ部（２００）の２つの出力信号のうちいずれか一方を選択して、判別結果信号（ＦＶＤＥＴ）として出力する。【選択図】図２
2008125060.tif 000002
【特許請求の範囲】
【請求項１】
水平同期信号をカウントし、垂直同期信号に基づいてリセットされるカウンタを含み、前記カウンタの出力に基づいて垂直系のタイミングパルス信号群を生成する垂直系パルス作成部と、
垂直同期信号の周波数を判別する周波数判別手段と、
を有する垂直周波数判別回路であって、
前記垂直系パルス作成部は、垂直同期信号が到来してから次の垂直同期信号が到来するまでの所定期間にノイズにより前記カウンタがリセットされることを防ぐためのノイズ除去信号を前記カウンタのカウント値に基づいて生成し、
前記周波数判別手段は、前記ノイズ除去信号に基づいて、前記垂直同期信号の周波数を判別する判別結果信号を生成し、出力する、
ことを特徴とする垂直周波数判別回路。
【請求項２】
前記垂直系パルス作成部は、
前記カウンタのカウント値が所定のデコード値に達したときに、所定のレベルの前記ノイズ除去信号を生成し、前記カウンタがリセットされたときに前記ノイズ除去信号のレベルを元に戻すノイズ除去信号生成部、
をさらに有し、
前記所定のデコード値は、外部から入力されるモード設定信号によって切替可能であることを特徴とする、請求項１に記載の垂直周波数判別回路。
【請求項３】
前記モード設定信号は、前記判別結果信号に基づいて切り替えられる、請求項２に記載の垂直周波数判別回路。
【請求項４】
前記周波数判別手段は、前記垂直同期信号の到来のタイミングで、前記ノイズ除去信号のレベルを検出して、前記判別結果信号を生成することを特徴とする請求項１に記載の垂直周波数判別回路。
【請求項５】
前記周波数判別手段は、判別結果ラッチ部を有し、
前記判別結果ラッチ部は、
前記ノイズ除去信号がデータ入力端子に入力され、前記垂直同期信号がクロック端子に入力される第１のフリップフロップと、
前記ノイズ除去信号を反転させて出力するインバータと、
前記インバータの出力信号がデータ入力端子に入力され、前記垂直同期信号がクロック端子に入力される第２のフリップフロップと、
を有する請求項４に記載の垂直周波数判別回路。
【請求項６】
前記周波数判別手段は、外部から入力されるモード設定信号に基づいて、前記判別結果ラッチ部の前記第１のフリップフロップと前記第２のフリップフロップの出力信号のいずれかを選択して、前記判別結果信号として出力する出力選択部をさらに有する、請求項５に記載の垂直周波数判別回路。
【請求項７】
前記モード設定信号は、前記判別結果信号に基づいて切り替えられる請求項６に記載の垂直周波数判別回路。
【請求項８】
入力信号から水平同期信号と垂直同期信号とを抽出する同期分離回路と、
前記水平同期信号と前記垂直同期信号とに基づいて、前記垂直同期信号の周波数を判別すると共に、周波数の判別結果に基づいて垂直系のタイミングパルス信号群を生成する、請求項１に記載の垂直周波数判別回路と、
前記水平同期信号に基づいて、水平系のタイミングパルス信号群を生成する水平系パルス作成部と、
を有することを特徴とする映像表示装置。
【請求項９】
垂直系パルス信号群を生成するために用いられるカウンタが、垂直同期信号が到来してから次の垂直同期信号が到来するまでの所定期間にノイズにより誤ってリセットされることを防ぐためのノイズ除去信号を生成するステップと、
前記ノイズ除去信号を前記垂直同期信号に基づいてサンプリングすることにより、前記垂直同期信号の周波数を判別する判別結果信号を出力するステップと、
を有することを特徴とする垂直周波数判別方法。
【発明の詳細な説明】
【技術分野】
【０００１】
本発明は、映像信号に含まれる垂直同期信号の周波数を判別する垂直周波数判別回路及び垂直周波数判別方法、並びに垂直周波数判別回路を備えた映像表示装置に関する。
【背景技術】
【０００２】
映像表示装置は、一般的に映像信号に含まれる垂直同期信号を基準にして、垂直系のタイミングパルス信号を生成し、タイミングパルス信号に基づいて映像を表示する。垂直同期信号の周波数は、ＮＴＳＣ方式の場合は６０Ｈｚ（１Ｖ＝２６２．５Ｈ）であり、ＰＡＬ方式の場合は５０Ｈｚ（１Ｖ＝３１２．５Ｈ）である。このように、垂直同期信号の周波数は、ＮＴＳＣ方式とＰＡＬ方式とで異なる。
【０００３】
ＮＴＳＣ方式とＰＡＬ方式のそれぞれに適した各種タイミングパルス信号の生成を可能にするためには、ＮＴＳＣ方式とＰＡＬ方式のそれぞれに適した設定で映像表示装置が動作する必要がある。そのために、垂直同期信号の周波数を判別する垂直周波数判別回路が映像表示装置に設けられている。この垂直周波数判別回路は、垂直同期信号の周波数を判別するために用いられるカウンタを有する（例えば、特許文献１及び特許文献２）。
【０００４】
特許文献１のフィールド周波数判別回路（垂直周波数判別回路）のカウンタは、垂直同期信号の周期毎に、水平同期信号の数をカウントする。この垂直周波数判別回路は、カウンタのカウント値が２６２．５以下であれば６０Ｈｚであると判定し、３１２．５以上であれば５０Ｈｚであると判定している。
【０００５】
特許文献２の垂直同期回路は、垂直同期信号の到来に基づいてリセットされる垂直カウンタと、垂直カウンタの出力をカウントするカウンタを備えて周波数を判別する周期判別回路（垂直周波数判別回路）と、を有する。垂直周波数判別回路のカウンタは、垂直カウンタから出力される５０Ｈｚの垂直同期信号に基づいた周期範囲検出信号と、６０Ｈｚの垂直同期信号に基づいた周期範囲検出信号と、をそれぞれカウントする。この周期判別回路は、複数回連続して、５０Ｈｚ又は６０Ｈｚの周期範囲検出信号をカウントすることによって、周波数が５０Ｈｚ又は６０Ｈｚであると判定している。また、特許文献２の垂直同期回路は、垂直同期信号の到来のタイミング以外に入力されるノイズによって誤って垂直カウンタがリセットされることを防止するために、垂直周波数判別回路の判別結果に基づいて、垂直同期信号の入力受付を禁止する期間を設けている。
【特許文献１】特開昭６１−３０１８１号公報
【特許文献２】特開平２−１９４７７４号公報
【発明の開示】
【発明が解決しようとする課題】
【０００６】
特許文献１と特許文献２の垂直周波数判別回路は、周波数を判別するための専用のカウンタを備えている。映像表示装置は、垂直系のタイミングパルス信号群を生成するために、一般に、特許文献２の垂直カウンタのような、垂直同期信号によりリセットされるカウンタを備えている。そのため、特許文献１及び特許文献２の垂直周波数判別回路を映像表示装置に搭載すると、垂直系のタイミングパルス信号群を生成するために用いられるカウンタに加えて、周波数判別のために用いられるカウンタが搭載されることになり、集積化したときにチップ面積が増大するという問題があった。
【０００７】
本発明は、上記問題を解決するものであって、チップ面積を削減する垂直周波数判別回路及び垂直周波数判別方法、並びに垂直周波数判別回路を備えた映像表示装置を提供することを目的とする。
【課題を解決するための手段】
【０００８】
本発明の垂直周波数判別回路は、水平同期信号をカウントし、垂直同期信号に基づいてリセットされるカウンタを含み、カウンタの出力に基づいて垂直系のタイミングパルス信号群を生成する垂直系パルス作成部と、垂直同期信号の周波数を判別する周波数判別手段と、を有する。垂直系パルス作成部は、垂直同期信号が到来してから次の垂直同期信号が到来するまでの所定期間にノイズによりカウンタがリセットされることを防ぐためのノイズ除去信号をカウンタのカウント値に基づいて生成し、周波数判別手段は、ノイズ除去信号に基づいて、垂直同期信号の周波数を判別する判別結果信号を生成し、出力する。ここで、「周波数判別手段」は、実施形態の「判別結果ラッチ部２００」及び「出力選択部３００」に相当する。「ノイズ除去信号」は、実施形態の「第１のノイズ除去信号ＶＳＣ」に相当する。
【０００９】
本発明の映像表示装置は、入力信号から水平同期信号と垂直同期信号とを抽出する同期分離回路と、水平同期信号と垂直同期信号に基づいて、垂直同期信号の周波数を判別すると共に、周波数の判別結果に基づいて垂直系のタイミングパルス信号群を生成する、上記垂直周波数判別回路と、水平同期信号に基づいて、水平系のタイミングパルス信号群を生成する水平系パルス作成部と、を有する。
【００１０】
本発明の垂直周波数判別方法は、垂直系パルス信号群を生成するために用いられるカウンタが、垂直同期信号が到来してから次の垂直同期信号が到来するまでの所定期間にノイズにより誤ってリセットされることを防ぐためのノイズ除去信号を生成するステップと、ノイズ除去信号を垂直同期信号に基づいてサンプリングすることにより、垂直同期信号の周波数を判別する判別結果信号を出力するステップと、を有する。
【発明の効果】
【００１１】
本発明によれば、垂直系タイミングパルス信号群を生成するために用いられるカウンタが、ノイズにより誤ってリセットされることを防ぐためのノイズ除去信号を、ＨｉレベルとＬｏレベルが所定期間続くように生成する。そのノイズ除去信号を垂直同期信号の到来のタイミングでサンプリングすることによって、周波数の判別結果を示す判別結果信号を生成している。この構成により、周波数を判別するための専用のカウンタが不要になるため、映像表示装置に搭載される垂直周波数判別回路のチップ面積を削減することができる。
【発明を実施するための最良の形態】
【００１２】
以下、本発明の実施形態について、図面を参照して説明する。
【００１３】
１．  構成
１．１  映像表示装置の全体構成
図１に、本発明の実施形態の映像表示装置を示す。本実施形態の映像表示装置は、ＮＴＳＣ方式の映像信号（周波数６０Ｈｚ、１Ｖ＝２６２．５Ｈ）とＰＡＬ方式の映像信号（周波数５０Ｈｚ、１Ｖ＝３１２．５Ｈ）のいずれも入力可能である。映像表示装置は、映像信号の種類（ＮＴＳＣ又はＰＡＬ）を自動判別し、映像信号の種類に応じて、自動的に内部設定を変更する機能を有する。
【００１４】
本実施形態の映像表示装置は、入力した映像信号から水平同期信号ＨＳＹＮＣと垂直同期信号ＶＳＹＮＣとを抽出する同期分離回路３０００と、抽出された水平同期信号ＨＳＹＮＣと垂直同期信号ＶＳＹＮＣとに基づいて垂直系タイミングパルス信号群ＶＴＰＬＳを生成すると共に入力された映像信号がＮＴＳＣ方式かＰＡＬ方式かを判別する判別結果信号ＦＶＤＥＴを出力する垂直周波数判別回路１０００と、抽出された水平同期信号ＨＳＹＮＣに基づいて水平系タイミングパルス信号群ＨＴＰＬＳを生成する水平系パルス作成部２０００と、を有する。
【００１５】
垂直周波数判別回路１０００は、同期分離回路３０００により抽出された水平同期信号ＨＳＹＮＣを入力端子１０から入力し、同期分離回路３０００により抽出された垂直同期信号ＶＳＹＮＣを入力端子２０から入力する。入力された垂直同期信号ＶＳＹＮＣは、インバータ６００により、反転される。また、垂直周波数判別回路１０００には、内部回路の各種設定をＰＡＬモード用に設定するかＮＴＳＣモード用に設定するかを制御するためのモード設定信号ＰＡＬＭＯＤＥが入力端子３０から入力される。
【００１６】
垂直周波数判別回路１０００は、入力した垂直同期信号ＶＳＹＮＣと水平同期信号ＨＳＹＮＣとに基づいて、映像表示に必要な垂直系タイミングパルス信号群ＶＴＰＬＳを生成する垂直系パルス作成部１００を有し、生成した垂直系タイミングパルス信号群ＶＴＰＬＳを出力端子５０から出力する。垂直系タイミングパルス信号群ＶＴＰＬＳは、入力端子３０から入力されるモード設定信号ＰＡＬＭＯＤＥに基づいて、生成される。
【００１７】
また、垂直系パルス作成部１００は、垂直同期信号ＶＳＹＮＣの到来のタイミング以外にノイズが入り、そのノイズが垂直系タイミングパルス信号群ＶＴＰＬＳに影響することを防ぐために、垂直同期信号ＶＳＹＮＣの入力受付可能期間を設定するための第１のノイズ除去信号ＶＳＣを生成する。
【００１８】
本実施形態の垂直周波数判別回路１０００は、入力された映像信号がＮＴＳＣ方式かＰＡＬ方式かを判別するための専用のカウンタを有さず、映像信号がＮＴＳＣ方式かＰＡＬ方式かを判別するための判別結果ラッチ部２００と出力選択部３００とを有する。判別結果ラッチ部２００と出力選択部３００とによるＮＴＳＣ方式かＰＡＬ方式かの判別は、垂直系パルス作成部１００から出力される第１のノイズ除去信号ＶＳＣを用いて行われる。垂直周波数判別回路１０００は、ＮＴＳＣ方式かＰＡＬ方式かを判別した結果を判別結果信号ＦＶＤＥＴとして出力端子４０から出力する。本実施形態の映像表示装置は、垂直周波数判別回路１０００の判別結果信号ＦＶＤＥＴを、モード設定信号ＰＡＬＭＯＤＥにフィードバックすることにより、周波数の判別結果に基づいて、垂直周波数判別回路１０００内の各種設定をＮＴＳＣモード用とＰＡＬモード用のいずれかに自動で設定する。
【００１９】
図１に示す映像表示装置の概略動作について説明する。映像表示装置は、映像信号を入力すると、同期分離回路３０００により、入力された映像信号から水平同期信号ＨＳＹＮＣと垂直同期信号ＶＳＹＮＣとを抽出する。水平系パルス作成部２０００は、水平同期信号ＨＳＹＮＣに基づいて水平系タイミングパルス信号群ＨＴＰＬＳを生成する。垂直周波数判別回路１０００は、水平同期信号ＨＳＹＮＣと垂直同期信号ＶＳＹＮＣとに基づいて第１のノイズ除去信号ＶＳＣを生成し、第１のノイズ除去信号ＶＳＣに基づいて判別結果信号ＦＶＤＥＴを生成する。映像表示装置は、判別結果信号ＦＶＤＥＴをモード設定信号ＰＡＬＭＯＤＥにフィードバックすることによって、垂直周波数判別回路１０００のカラーシステムを５０ＨｚのＰＡＬモード用か６０ＨｚのＮＴＳＣモード用に自動で設定する。垂直系パルス作成部１００は、設定されたモードに応じて、垂直系のタイミングパルス信号群ＶＴＰＬＳを生成する。
【００２０】
１．２．  垂直周波数判別回路の構成
第１のノイズ除去信号ＶＳＣを生成して、第１のノイズ除去信号ＶＳＣを用いて周波数を判別する垂直周波数判別回路１０００の内部構成について説明する。図２に、垂直周波数判別回路１０００の具体的な内部構成を示す。
【００２１】
垂直系パルス作成部１００は、水平同期信号ＨＳＹＮＣをカウントすることにより、垂直系タイミングパルス信号群ＶＴＰＬＳと第１のノイズ除去信号ＶＳＣとを生成するカウントデコーダ部１１０と、カウントデコーダ部１１０のカウント値をリセットするための信号ａ、ｂを生成するリセットパルス作成部１２０と、を有する。信号ａ、ｂは、ＯＲゲート１３０を介して、リセット信号ＣＯＵＮＴＲＥＳとして、カウントデコーダ部１１０に入力される。カウントデコーダ部１１０とリセットパルス作成部１２０の詳細は、図３と共に後述する。
【００２２】
判別結果ラッチ部２００は、垂直系パルス作成部１００から出力される第１のノイズ除去信号ＶＳＣをラッチするためのＤ型のフリップフロップ２１０及び２２０と、フリップフロップ２２０のデータ入力端子に接続されたインバータ２３０とを有する。カウントデコーダ部１１０から出力される第１のノイズ除去信号ＶＳＣは、フリップフロップ２１０のデータ入力端子と、インバータ２３０を介してフリップフロップ２２０のデータ入力端子に入力される。フリップフロップ２１０及び２２０のクロック端子には、垂直同期信号ＶＳＹＮＣの反転信号ＮＶＳＹＮＣが入力される。
【００２３】
出力選択部３００は、入力信号がＮＴＳＣ信号であることを示す判別結果信号ＦＶＤＥＴのレベルと、入力信号がＰＡＬ信号であることを示す判別結果信号ＦＶＤＥＴのレベルとがそれぞれ一定となるように、判別結果ラッチ部２００の２つの出力のうち一つを選択して判別結果信号ＦＶＤＥＴとして出力する。出力選択部３００は、ＮＡＮＤゲート３１０、３２０、３３０及びＮＡＮＤゲート３１０の入力端子に接続されたインバータ３４０を有する。
【００２４】
ＮＡＮＤゲート３１０には、フリップフロップ２１０の出力端子Ｑから出力される信号と、インバータ３４０を介してモード設定信号ＰＡＬＭＯＤＥとが入力される。ＮＡＮＤゲート３２０には、フリップフロップ２２０の出力端子Ｑから出力される信号と、モード設定信号ＰＡＬＭＯＤＥとが入力される。ＮＡＮＤゲート３１０、３２０の出力信号はＮＡＮＤゲート３３０に入力され、ＮＡＮＤゲート３３０の出力信号が判別結果信号ＦＶＤＥＴとして出力端子４０に出力される。
【００２５】
モード設定信号ＰＡＬＭＯＤＥがＨｉｇｈ（ＰＡＬモード）のときは、ＮＡＮＤゲート３２０に入力されたフリップフロップ２２０の出力信号が、判別結果信号ＦＶＤＥＴとなる。モード設定信号ＰＡＬＭＯＤＥがＬｏｗ（ＮＴＳＣモード）のときは、ＮＡＮＤゲート３１０に入力されたフリップフロップ２１０の出力信号が、判別結果信号ＦＶＤＥＴとなる。
【００２６】
１．３．  垂直系パルス作成部の構成
図３に、垂直系パルス作成部１００のカウントデコーダ部１１０とリセットパルス作成部１２０の内部構成を示す。
【００２７】
１．３．１  カウントデコーダ部の構成
カウントデコーダ部１１０は、水平同期信号ＨＳＹＮＣをカウントするカウンタ１１４と、モード設定信号ＰＡＬＭＯＤＥに応じたモードで、カウンタ１１４の出力に基づいて、垂直系タイミングパルス信号群ＶＴＰＬＳを生成するタイミングパルス作成部１１３と、を有する。カウンタ１１４は、クロック端子に入力される水平同期信号ＨＳＹＮＣをカウントし、リセット端子に入力されるリセット信号ＣＯＵＮＴＲＥＳにより、リセットされる。
【００２８】
リセット信号ＣＯＵＮＴＲＥＳは、２種類のリセット信号ａ、ｂにより構成される。リセット信号ｂは、垂直同期信号ＶＳＹＮＣの到来のタイミングに基づいてカウンタ１１４をリセットするための外部リセット信号である。リセット信号ａは、弱電界などによって垂直同期信号ＶＳＹＮＣが欠落したときや、無入力の状態のときに、カウンタ１１４を自己リセットするための自己リセット信号である。自己リセット信号ａと外部リセット信号ｂとはリセットパルス作成部１２０から出力されてＯＲゲート１３０に入力され、ＯＲゲート１３０の出力がリセット信号ＣＯＵＮＴＲＥＳとなる。
【００２９】
カウントデコーダ部１１０は、自己リセット信号ａを生成するタイミングを制御するためのデコードセレクタ１１１を有する。デコードセレクタ１１１は、モード設定信号ＰＡＬＭＯＤＥがＬｏｗ（以下、「Ｌｏ」と言う。）のときに、ＮＴＳＣ信号用のデコード値「２６３」を選択し、モード設定信号ＰＡＬＭＯＤＥがＨｉｇｈ（以下、「Ｈｉ」と言う。）のときに、ＰＡＬ信号用のデコード値「３１３」を選択する。これらのデコード値は、垂直同期信号ＶＳＹＮＣが欠落した後、すぐにカウンタ１１４を自己リセットできるように、垂直同期信号ＶＳＹＮＣの周期（ＮＴＳＣ：２６２．５Ｈ、ＰＡＬ：３１２．５Ｈ）より、わずかに大きな値に設定されている。デコードセレクタ１１１は、カウンタ１１４のカウント値が選択したデコード値に達したときに、自己リセット制御信号ＳＥＬを出力する。
【００３０】
カウントデコーダ部１１４は、さらに、第１のノイズ除去信号ＶＳＣを生成するためのデコードセレクタ１１２を有する。デコードセレクタ１１２は、モード設定信号ＰＡＬＭＯＤＥがＬｏのときに、ＮＴＳＣ信号用のデコード値「２４０」を選択し、モード設定信号ＰＡＬＭＯＤＥがＨｉのときに、ＰＡＬ信号用のデコード値「２８０」を選択する。これらのデコード値は、ノイズの入力をできるだけ防ぐために、垂直同期信号ＶＳＹＮＣの到来タイミングの直前まで信号の入力を禁止するような値に設定される。具体的には、本実施形態においては、垂直同期信号ＶＳＹＮＣの周期（ＮＴＳＣ：２６２．５Ｈ、ＰＡＬ：３１２．５Ｈ）の約９０％に設定されている。
【００３１】
デコードセレクタ１１２は、カウンタ１１４のカウンタ値が選択したデコード値に達したときに、第１のノイズ除去信号ＶＳＣを出力する。具体的には、Ｌｏの第１のノイズ除去信号ＶＳＣを出力する。デコードセレクタ１１２は、カウンタ１１４のカウンタ値が「０」に戻ると、第１のノイズ除去信号ＶＳＣをＨｉに戻す。
【００３２】
１．３．２  リセットパルス作成部の構成
リセットパルス作成部１２０は、自己リセット信号ａを生成するための自己リセット作成部１２１と、外部リセット信号ｂを生成するための外部リセット作成部１２２とを有する。自己リセット作成部１２１及び外部リセット作成部１２２は、水平同期信号ＨＳＹＮＣを入力することにより、カウンタ１１４と同期している。
【００３３】
自己リセット作成部１２１と外部リセット作成部１２２の間には、ＡＮＤゲート１２３が接続されている。ＡＮＤゲート１２３は、デコードセレクタ１１２から出力される第１のノイズ除去信号ＶＳＣと、自己リセット作成部１２１から出力される第２のノイズ除去信号ｃとを入力して、入力禁止信号ｄを出力する。具体的には、ＡＮＤゲート１２３は、第１のノイズ除去信号ＶＳＣと第２のノイズ除去信号ｃとの両方がＨｉのときに、Ｈｉの入力禁止信号ｄを出力し、第１のノイズ除去信号ＶＳＣと第２のノイズ除去信号ｃの少なくともいずれか一方がＬｏであればＬｏの入力禁止信号ｄを出力する。
【００３４】
自己リセット作成部１２１は、デコードセレクタ１１１からの自己リセット制御信号ＳＥＬと、外部リセット作成部１２２からの外部リセット信号ｂとを入力して、自己リセット信号ａと、第２のノイズ除去信号ｃとを出力する。外部リセット作成部１２２は、垂直同期信号の反転信号ＮＶＳＹＮＣと入力禁止信号ｄとを入力して、外部リセット信号ｂを出力する。自己リセット作成部１２１と外部リセット作成部１２２の入力信号と出力信号の真理値表を図４に示す。
【００３５】
図４（ａ）は、自己リセット作成部１２１に入力される信号ＳＥＬ、ｂと、自己リセット作成部１２１が出力する信号ａ、ｃの真理値表を示している。ここで、自己リセット制御信号ＳＥＬは、垂直同期信号ＶＳＹＮＣの到来に基づく外部リセット信号ｂが生成されないときに生成されるため、「ＳＥＬ＝Ｈ」且つ「ｂ＝Ｈ」の組み合わせは存在しない。
【００３６】
自己リセット作成部１２１は、デコードセレクタ１１１から入力される自己リセット制御信号ＳＥＬと同じレベルで自己リセット信号ａを出力する。すなわち、Ｈｉの自己リセット信号ａは、Ｈｉの自己リセット制御信号ＳＥＬが入力されるタイミングで、生成される（ＳＥＬ＝Ｈ、ａ＝Ｈ）。
【００３７】
第２のノイズ除去信号ｃは、自己リセット制御信号ＳＥＬがＨｉになると、Ｌｏになり（ＳＥＬ＝Ｈ、ｃ＝Ｌ）、外部リセット信号ｂがＨｉになると、ＬｏからＨｉに戻る（ｂ＝Ｈ、ｃ＝Ｈ）。自己リセット制御信号ＳＥＬと外部リセット信号ｂが共にＬｏのときは、第２のノイズ除去信号ｃのレベルは変化しない。
【００３８】
図４（ｂ）は、外部リセット作成部１２２に入力される信号ｄ、ＮＶＳＹＮＣと、外部リセット作成部１２２が出力する信号ｂの真理値表を示している。外部リセット作成部１２２は、リセット端子に入力される入力禁止信号ｄがＬｏのときに、反転信号ＮＶＳＹＮＣの入力受付が可能な状態となり、入力禁止信号ｄがＨｉのときは、反転信号ＮＶＳＹＮＣの入力受付が不可能な状態になる。
【００３９】
外部リセット信号ｂは、反転信号ＮＶＳＹＮＣが入力されたときに入力禁止信号ｄがＬｏであれば、出力される（ｄ＝Ｌ、ＮＹＳＹＮＣ＝Ｈ、ｂ＝Ｈ）。外部リセット信号ｂは、入力禁止信号ｄがＨｉのときは反転信号ＮＶＳＹＮＣが入力されても、出力されない（ｄ＝Ｈ、ＮＹＳＹＮＣ＝Ｈ、ｂ＝Ｌ）。このように、外部リセット作成部１２２のリセット端子に入力される入力禁止信号ｄは、Ｈｉのときに、外部リセット作成部１２２の出力動作を停止させる。これにより、外部リセット作成部１２２が、ノイズにより誤って、垂直同期信号ＶＳＹＮＣの到来のタイミング以外に外部リセット信号ｂを出力して、カウンタ１１４をリセットすることを防ぐ。
【００４０】
２．  動作
２．１  映像表示装置における周波数判別に基づくカラーシステムの設定
図５に、映像信号の垂直同期信号ＶＳＹＮＣの周波数を判別して、判別した結果に基づいて、垂直周波数判別回路１０００のカラーシステムに関する内部回路の各種設定をＰＡＬモードとＮＴＳＣモードのいずれかに自動で設定する方法を示す。図５において、Ｓ７０４とＳ７０５は、垂直周波数判別動作を示している。
【００４１】
図１に示す映像表示装置は映像信号を入力すると（Ｓ７０１）、同期分離回路３０００により、入力された映像信号から水平同期信号ＨＳＹＮＣと垂直同期信号ＶＳＹＮＣとを抽出する（Ｓ７０２）。水平系パルス作成部２０００は、水平同期信号ＨＳＹＮＣに基づいて水平系タイミングパルス信号群ＨＴＰＬＳを生成する（Ｓ７０３）。
【００４２】
垂直周波数判別回路１０００は、垂直系パルス作成部１００により、水平同期信号ＨＳＹＮＣと垂直同期信号ＶＳＹＮＣとに基づいて第１のノイズ除去信号ＶＳＣを生成する（Ｓ７０４）。垂直周波数判別回路１０００は、第１のノイズ除去信号ＶＳＣを垂直同期信号ＶＳＹＮＣの到来のタイミングでサンプリングすることによって、判別結果信号ＦＶＤＥＴを生成する。この判別結果信号ＦＶＤＥＴにより、周波数が５０Ｈｚであるか６０Ｈｚであるかを判別する（Ｓ７０５）。
【００４３】
映像表示装置は、判別結果信号ＦＶＤＥＴをモード設定信号ＰＡＬＭＯＤＥにフィードバックすることによって、垂直周波数判別回路１０００のカラーシステムを５０ＨｚのＰＡＬモード用か６０ＨｚのＮＴＳＣモード用に自動で設定する（Ｓ７０６）。垂直系パルス作成部１００は、設定されたモードに応じて、垂直系のタイミングパルス信号群ＶＴＰＬＳを生成する（Ｓ７０７）。
【００４４】
このように、映像表示装置は、第１のノイズ除去信号ＶＳＣに基づいて、入力される映像信号の垂直同期信号ＶＳＹＮＣの周波数を判別することにより、垂直同期信号ＶＳＹＮＣの周波数に応じたカラーシステムをＰＡＬモードかＮＴＳＣモードかに自動で設定する。よって、入力信号を受信している途中に、入力信号がＰＡＬ信号からＮＴＳＣ信号に、又はＮＴＳＣ信号からＰＡＬ信号に切り替わった場合であっても、入力信号の垂直同期信号ＶＳＹＮＣの周波数に応じた、垂直系タイミングパルス信号群ＶＴＰＬＳを生成することが可能となる。
【００４５】
２．２．  ノイズ除去信号の生成（垂直系パルス作成部の動作）
図５の第１のノイズ除去信号ＶＳＣを生成するステップ（Ｓ７０４）の詳細について説明する。図３に示す垂直系パルス作成部１００の主要動作波形を図６及び図７に示す。図６及び図７は、第１のノイズ除去信号ＶＳＣの生成に関連する波形を示し、垂直系タイミングパルス信号群ＶＴＰＬＳの生成については省略している。図６は、Ｌｏのモード設定信号ＰＡＬＭＯＤＥが垂直系パルス作成部１００に入力されているとき（ＮＴＳＣモード）の動作波形を示し、図７は、Ｈｉのモード設定信号ＰＡＬＭＯＤＥが垂直系パルス作成部１００に入力されているとき（ＰＡＬモード）の動作波形を示している。
【００４６】
２．２．１  ＮＴＳＣモードのとき
図６のモード設定信号ＰＡＬＭＯＤＥがＬｏのとき（ＮＴＳＣモード）の動作について説明する。モード設定信号ＰＡＬＭＯＤＥがＬｏのとき、自己リセット用のデコードセレクタ１１１はデコード値「２６３」を選択し、ノイズ除去信号生成用のデコードセレクタ１１２はデコード値「２４０」を選択している。図６は、時刻ｔＡまでＮＴＳＣ方式の映像信号（周波数６０Ｈｚ、１Ｖ＝２６２．５Ｈ）が入力され、時刻ｔＡ以降にＰＡＬ方式の映像信号（周波数５０Ｈｚ、１Ｖ＝３１２．５Ｈ）が入力された場合の動作波形を示している。
【００４７】
ＮＴＳＣ信号の場合、垂直同期信号ＶＳＹＮＣの１周期中における水平同期信号ＨＳＹＮＣのカウント値は「２６２．５」である。ＮＴＳＣ信号を入力している間、カウンタ１１４はデコードセレクタ１１１のデコード値「２６３」をカウントする前にリセットされる。そのため、デコードセレクタ１１１は自己リセット制御信号ＳＥＬを出力しない。自己リセット制御信号ＳＥＬが自己リセット作成部１２１に入力されないため、自己リセット作成部１２１は、外部リセット信号ｂにより、Ｈｉの第２のノイズ除去信号ｃをＡＮＤゲート１２３に入力し続ける。そのため、外部リセット作成部１２２の反転信号ＮＶＳＹＮＣの入力受付は、第１のノイズ除去信号ＶＳＣのみにより、制御される。
【００４８】
カウンタ１１４は、水平同期信号ＨＳＹＮＣをカウントアップする（時刻ｔ１）。カウンタ１１４のカウント値がデコードセレクタ１１２のデコード値「２４０」に達すると（時刻ｔ２）、デコードセレクタ１１２は第１のノイズ除去信号ＶＳＣをＬｏに移行して出力する。Ｌｏの第１のノイズ除去信号ＶＳＣを入力されたＡＮＤゲート１２３は、Ｌｏの入力禁止信号ｄを出力する。外部リセット作成部１２２は、垂直同期信号ＶＳＹＮＣの反転信号ＮＶＳＹＮＣの入力受付が可能な状態に移行する（時刻ｔ２〜ｔ３）。
【００４９】
垂直同期信号ＶＳＹＮＣが到来すると、反転信号ＮＶＳＹＮＣの入力受付可能な状態の外部リセット作成部１２２は、外部リセット信号ｂを生成して出力する（時刻ｔ３）。外部リセット信号ｂを入力されたＯＲゲート１３０は、リセット信号ＣＯＵＮＴＲＥＳを出力する。これにより、カウンタ１１４はリセットされて、「０」から再びカウントアップする。
【００５０】
デコードセレクタ１１２は、カウンタ１１４のカウント値が「０」に戻ることにより、第１のノイズ除去信号ＶＳＣをＨｉに移行する（時刻ｔ３）。Ｈｉの第１のノイズ除去信号ＶＳＣを入力されたＡＮＤゲート１２３は、入力禁止信号ｄをＨｉに移行させる。Ｈｉの入力禁止信号ｄを入力された外部リセット作成部１２２は、垂直同期信号ＶＳＹＮＣの反転信号ＮＶＳＹＮＣの入力受付が不可能な状態に移行する。外部リセット作成部１２２は、カウント値が再び「２４０」に達して次のＬｏの入力禁止信号ｄを入力されるまでの間、入力受付が不可能な状態を維持する。そのため、垂直同期信号ＶＳＹＮＣにノイズが混入されていたとしても、誤って外部リセット信号ｂを生成することはない。
【００５１】
垂直系パルス作成部１００は、上記の動作をＮＴＳＣ信号が入力されている間、繰り返す。時刻ｔＡ以降、ＰＡＬ信号が入力されると、垂直系パルス作成部１００は次のように動作する。
【００５２】
ＰＡＬ信号の場合、垂直同期信号ＶＳＹＮＣの１周期中における水平同期信号ＨＳＹＮＣのカウント値は「３１２．５」である。カウンタ１１４のカウント値がデコードセレクタ１１２のデコード値「２４０」に達すると（時刻ｔ４）、デコードセレクタ１１２はＬｏの第１のノイズ除去信号ＶＳＣを出力する。Ｌｏの第１のノイズ除去信号ＶＳＣを入力されたＡＮＤゲート１２３は、入力禁止信号ｄをＬｏに移行させる。Ｌｏの入力禁止信号ｄを入力された外部リセット作成部１２２は、垂直同期信号の反転信号ＮＶＳＹＮＣの入力受付が可能な状態に移行する（時刻ｔ４〜時刻ｔ５）。
【００５３】
ＰＡＬ信号の周期はＮＴＳＣ信号の周期よりも長いため、カウンタ１１４のカウンタ値は、ＮＴＳＣモードに設定されている自己リセット用のデコードセレクタ１１１のデコード値「２６３」に達する（時刻ｔ５）。デコードセレクタ１１１は、自己リセット制御信号ＳＥＬを出力する。自己リセット制御信号ＳＥＬを入力された自己リセット作成部１２１は、自己リセット信号ａを出力すると共に、第２のノイズ除去信号ｃをＬｏに移行させる。
【００５４】
自己リセット信号ａを入力されたＯＲゲート１３０は、リセット信号ＣＯＵＮＴＲＥＳをカウンタ１１４に出力する。これにより、カウンタ１１４はリセットされて、デコードセレクタ１１２の第１のノイズ除去信号ＶＳＣは、ＬｏからＨｉに移行する。しかし、このとき、自己リセット制御信号ＳＥＬを入力された自己リセット作成部１２１が第２のノイズ除去信号ｃをＨｉからＬｏに移行させているため、Ｈｉの第１のノイズ除去信号ＶＳＣとＬｏの第２のノイズ除去信号ｃを入力されたＡＮＤゲート１２３は、入力禁止信号ｄをＬｏに維持したまま出力する。よって、外部リセット作成部１２２は、垂直同期信号の反転信号ＮＶＳＹＮＣの入力受付が可能な状態を維持する（時刻ｔ５〜ｔ６）。
【００５５】
垂直同期信号ＶＳＹＮＣの立下りエッジが到来すると、垂直同期信号の反転信号ＮＶＳＹＮＣの入力受付が可能な状態である外部リセット作成部１２２は、外部リセット信号ｂを出力する（時刻ｔ６）。外部リセット信号ｂを入力されたＯＲゲート１３０は、リセット信号ＣＯＵＮＴＲＥＳをカウンタ１１４に出力する。これにより、カウンタ１１４はリセットされる。
【００５６】
自己リセット作成部１２１は、外部リセット信号ｂを入力されて、第２のノイズ除去信号ｃをＬｏからＨｉに移行させる（時刻ｔ６）。Ｈｉの第２のノイズ除去信号ｃとＨｉの第１のノイズ除去信号ＶＳＣとを入力されたＡＮＤ１２３は、Ｈｉの入力禁止信号ｄを出力する。これにより、外部リセット作成部１２２は、反転信号ＮＶＳＹＮＣの入力受付が不可能な状態に移行する。次に、カウンタ１１４のカウント値がデコードセレクタ１１２のデコード値「２４０」に達し第１のノイズ除去信号ＶＳＣがＬｏに移行するまで、外部リセット作成部１２２は入力受付が不可能な状態を維持する。そのため、次の垂直同期信号ＶＳＹＮＣが到来するまでの間にノイズが入力されたとしても、誤って外部リセット信号ｂを生成することはない。垂直系パルス作成部１００は、上記の動作をＰＡＬ信号が入力されてから繰り返す。
【００５７】
以上のように、ＮＴＳＣ信号が入力されているときとＰＡＬ信号が入力されているときの両方において、カウンタ値がデコードセレクタ１１２のデコード値「２４０」に達した時点で、第１のノイズ除去信号ＶＳＣはＨｉからＬｏに遷移する。一方、ＬｏからＨｉに戻るタイミングは、入力されている信号がＮＴＳＣ信号かＰＡＬ信号かによって異なる。具体的には、垂直系パルス作成部１００がＮＴＳＣ用モードのときは、ＮＴＳＣ信号が入力されている間、自己リセットは働かず、第１のノイズ除去信号ＶＳＣは外部リセット信号ｂのタイミングでＨｉに戻る。しかし、ＰＡＬ信号が入力されている間は、ＰＡＬ信号の垂直同期信号ＶＳＹＮＣが到来するよりも前に、ＮＴＳＣモードに設定されている自己リセット機能が働くため、自己リセット信号ａのタイミングでＨｉに戻る。よって、ＮＴＳＣ信号とＰＡＬ信号とでは、垂直同期信号ＶＳＹＮＣが到来したとき（時刻ｔ３や時刻ｔ６）の第１のノイズ除去信号ＶＳＣのレベルが異なる。
【００５８】
２．２．２  ＰＡＬモードのとき
図７のモード設定信号ＰＡＬＭＯＤＥがＨｉのとき（ＰＡＬモード）の動作について説明する。モード設定信号ＰＡＬＭＯＤＥがＨｉのとき、自己リセット用のデコードセレクタ１１１はデコード値「３１３」を選択し、ノイズ除去信号用のデコードセレクタ１１２はデコード値「２８０」を選択している。図７は、時刻ｔＡまでＰＡＬ方式の映像信号（周波数５０Ｈｚ、１Ｖ＝３１２．５Ｈ）が入力され、時刻ｔＡ以降、ＮＴＳＣ方式の映像信号（周波数６０Ｈｚ、１Ｖ＝２６２．５Ｈ）が入力された場合の動作波形を示している。
【００５９】
ＰＡＬ信号の場合、垂直同期信号ＶＳＹＮＣの１周期中における水平同期信号ＨＳＹＮＣのカウント値は「３１２．５Ｈ」である。ＰＡＬ信号を入力している間、カウンタ１１４はデコードセレクタ１１１のデコード値「３１３」に達する前に、リセットされる。そのため、デコードセレクタ１１１は自己リセット制御信号ＳＥＬを出力しない。自己リセット作成部１２１の第２のノイズ除去信号ｃは、外部リセット信号ｂにより、Ｈｉの状態を維持したままとなる。よって、外部リセット作成部１２２のリセットは、第１のノイズ除去信号ＶＳＣのみにより制御される。
【００６０】
カウンタ１１４は、水平同期信号ＨＳＹＮＣをカウントアップする（時刻ｔ１）。カウンタ１１４のカウント値がデコードセレクタ１１２のデコード値「２８０」に達すると、デコードセレクタ１１２は、第１のノイズ除去信号ＶＳＣをＬｏに移行する（時刻ｔ２）。これにより、入力禁止信号ｄはＬｏに移行し、外部リセット作成部１２２は反転信号ＮＶＳＹＮＣの入力受付可能状態に移行する（時刻ｔ２〜ｔ３）。
【００６１】
垂直同期信号ＶＳＹＮＣが到来すると（時刻ｔ３）、入力受付可能状態の外部リセット作成部１２２は外部リセット信号ｂを出力する。カウンタ１１４はリセットされ、第１のノイズ除去信号ＶＳＣはＨｉに移行する。これにより、入力禁止信号ｄはＨｉに戻り、外部リセット作成部１２２は反転信号ＮＶＳＹＮＣの入力受付が不可能な状態に移行する。次に、カウンタ１１４のカウント値がデコードセレクタ１１２のデコード値「２８０」に達し第１のノイズ除去信号ＶＳＣがＬｏに移行するまで、外部リセット作成部１２２は入力受付が不可能な状態を維持する。そのため、次の垂直同期信号ＶＳＹＮＣが到来するまでの間にノイズが入力されたとしても、誤って外部リセット信号ｂを生成することはない。
【００６２】
垂直系パルス作成部１００は、上記の動作をＰＡＬ信号が入力されている間繰り返す。時刻ｔＡ以降、ＮＴＳＣ信号が入力されると、垂直系パルス作成部１００は次のように動作する。
【００６３】
ＮＴＳＣ信号の場合、垂直同期信号ＶＳＹＮＣの１周期中における水平同期信号ＨＳＹＮＣのカウント値は「２６２．５」である。ＰＡＬ信号からＮＴＳＣ信号に切りかわってから、次の垂直同期信号ＶＳＹＮＣが到来したときのカウント値は「２６２．５」であり（時刻ｔ４）、ノイズ除去信号生成用のデコードセレクタ１１２のデコード値「２８０」に達していない。そのため、時刻ｔ４において、デコードセレクタ１１２から出力される第１のノイズ除去信号ＶＳＣはＨｉのままである。また、時刻ｔ４では、カウンタ１１４のカウント値は、自己リセット用のデコードセレクタ１１１のデコード値「３１３」にも達していない。よって、デコードセレクタ１１１は自己リセット制御信号ＳＥＬを出力しない。自己リセット作成部１２１は、自己リセット信号ａを出力せず、第２のノイズ除去信号ｃをＨｉの状態で維持する。Ｈｉの第１のノイズ除去信号ＶＳＣとＨｉの第２のノイズ除去信号ｃを入力され続けるＡＮＤゲート１２３は、Ｈｉの入力禁止信号ｄを出力し続けるため、外部リセット作成部１２２は、垂直同期信号ＶＳＹＮＣの反転信号ＮＶＳＹＮＣの入力受付が不可能な状態を維持する（時刻ｔ４〜ｔ５）。よって、外部リセット信号ｂは時刻ｔ４の時点で出力されない。時刻ｔ４では、自己リセット信号ａと外部リセット信号ｂは共に出力されないため、カウンタ１１４はリセットされず、カウントアップを続ける。
【００６４】
カウンタ１１４のカウント値がデコードセレクタ１１２のデコード値「２８０」に達すると（時刻ｔ５）、デコードセレクタ１１２は、第１のノイズ除去信号ＶＳＣをＨｉからＬｏに移行する。これにより、ＡＮＤ回路１２３の入力禁止信号ｄがＨｉからＬｏに移行する。外部リセット作成部１２２のリセットは解除され、反転信号ＮＶＳＹＮＣの入力受付可能状態に移行する（時刻ｔ５〜ｔ６）。
【００６５】
カウンタ１１４のカウント値がデコードセレクタ１１１のデコード値「３１３」に達すると、デコードセレクタ１１１は自己リセット制御信号ＳＥＬを出力する（時刻ｔ６）。これにより、自己リセット作成部１２１は自己リセット信号ａを出力し、カウンタ１１４はリセットされる。カウンタ１１４がリセットされると、デコードセレクタ１１２の第１のノイズ除去信号ＶＳＣはＨｉに移行する。
【００６６】
自己リセット制御信号ＳＥＬを入力された自己リセット作成部１２１は、第２のノイズ除去信号ｃをＨｉからＬｏに移行させるため、Ｈｉの第１のノイズ除去信号ＶＳＣとＬｏの第２のノイズ除去信号ｃとを入力されるＡＮＤ回路１２３は、Ｌｏの入力禁止信号ｄを出力し続ける。よって、外部リセット作成部１２２は反転信号ＮＶＳＹＮＣの入力受付可能状態を維持する（時刻ｔ６〜ｔ７）。
【００６７】
次に垂直同期信号ＶＳＹＮＣの立下りエッジが到来すると（時刻ｔ７）、反転信号ＮＶＳＹＮＣの入力受付可能状態の外部リセット作成部１２２は、外部リセット信号ｂをカウンタ１１４と自己リセット作成部１２１とに出力する。これにより、カウンタ１１４はリセットされ、自己リセット作成部１２１は、第２のノイズ除去信号ｃをＬｏからＨｉに移行させる。
【００６８】
時刻ｔ６と時刻ｔ７の間の時間は、ＮＴＳＣ信号の垂直同期信号ＶＳＹＮＣの周期よりも短いため、時刻ｔ７でリセットされる前のカウント値はデコードセレクタ１１２のデコード値「２８０」に達していない。よって、時刻ｔ７の時点では、第１のノイズ除去信号ＶＳＣはＨｉの状態を維持し続ける。
【００６９】
Ｈｉのままの第１のノイズ除去信号ＶＳＣとＨｉに移行した第２のノイズ除去信号ｃとを入力されたＡＮＤ回路１２３の入力禁止信号ｄはＬｏからＨｉに移行する（時刻ｔ７）。これにより、外部リセット作成部１２２は、反転信号ＮＶＳＹＮＣ入力受付禁止状態に移行する。よって、次に入力される垂直同期信号ＶＳＹＮＣは、無効となる。
【００７０】
このように、ＮＴＳＣ信号が入力されている間、垂直同期信号ＶＳＹＮＣは一つおきに無効となり、カウンタ１１４は外部リセット信号ｂと自己リセット信号ａとにより、交互にリセットされる。第１のノイズ除去信号ＶＳＣは、垂直同期信号ＶＳＹＮＣの一つおきのタイミングで、Ｌｏに移行する。垂直系パルス作成部１００は、上記の動作をＮＴＳＣ信号を入力している間、繰り返す。
【００７１】
以上のように、ＰＡＬ信号が入力されているときとＮＴＳＣ信号が入力されているときの両方において、カウンタ値がノイズ除去信号生成用のデコードセレクタ１１２のデコード値「２８０」に達した時点で、第１のノイズ除去信号ＶＳＣはＨｉからＬｏに遷移する。一方、ＬｏからＨｉに戻るタイミングは、入力されている信号がＮＴＳＣ信号かＰＡＬ信号かによって異なる。具体的には、垂直系パルス作成部１００がＰＡＬ用モードのときは、ＰＡＬ信号が入力されている間、自己リセットは働かず、第１のノイズ除去信号ＶＳＣは外部リセット信号ｂのタイミングでＨｉに戻る。しかし、ＮＴＳＣ信号が入力されている間は、垂直同期信号ＶＳＹＮＣが一つおきに無効になることによって、ＰＡＬモードに設定されている自己リセット機能が働く。そのため、第１のノイズ除去信号ＶＳＣは、自己リセット信号ａのタイミングでＨｉに戻る。よって、ＰＡＬ信号とＮＴＳＣ信号とでは、垂直同期信号ＶＳＹＮＣが到来したとき（時刻ｔ３や時刻ｔ７）の第１のノイズ除去信号ＶＳＣのレベルが異なる。
【００７２】
このように、ＮＴＳＣモードのときとＰＡＬモードのときのいずれにおいても、垂直同期信号ＶＳＹＮＣが到来したときの第１のノイズ除去信号ＶＳＣのＨｉとＬｏのレベルが、入力される信号がＮＴＳＣ信号かＰＡＬ信号かによって異なる。そこで、本実施形態において、入力信号がＮＴＳＣ信号かＰＡＬ信号かの判別は、垂直同期信号ＶＳＹＮＣが到来したときの第１のノイズ除去信号ＶＳＣのレベルを検出することによって行う。
【００７３】
２．３．  周波数の判別（判別結果ラッチ部と出力選択部の動作）
図５の第１のノイズ除去信号ＶＳＣに基づいて周波数を判別するステップ（Ｓ７０５）の詳細について、以下に説明する。図８及び図９は、図６及び図７に示す第１のノイズ除去信号ＶＳＣを利用した判別結果信号ＦＶＤＥＴの波形を示している。図８は、図６に対応しており、モード設定信号ＰＡＬＭＯＤＥがＬｏの場合（ＮＴＳＣモード）の動作波形を示している。図９は、図７に対応しており、モード設定信号ＰＡＬＭＯＤＥがＨｉの場合（ＰＡＬモード）の動作波形を示している。
【００７４】
２．３．１  ＮＴＳＣモードのとき
図８のモード設定信号ＰＡＬＭＯＤＥがＬｏのとき（ＮＴＳＣモード）の動作について説明する。モード設定信号ＰＡＬＭＯＤＥがＬｏのとき（ＮＴＳＣモード）、図２の出力選択部３００において、ＮＡＮＤゲート３１０を通過する信号が出力端子４０に出力される。つまり、ＮＡＮＤゲート３１０に入力される判別結果ラッチ部２００のフリップフロップ２１０の出力信号が出力端子４０に出力される。フリップフロップ２１０は、クロック端子に入力される垂直同期信号の反転信号ＮＶＳＹＮＣの立ち上がりのタイミングで、すなわち、図８に示す垂直同期信号ＶＳＹＮＣの立下りのタイミングで、データ入力端子に入力されている第１のノイズ除去信号ＶＳＣをサンプリングする。
【００７５】
ＮＴＳＣモードでＮＴＳＣ信号が入力されている間は、上述したように、外部リセット信号ｂのタイミングで、第１のノイズ除去信号ＶＳＣはＬｏからＨｉに戻る。フリップフロップ２１０は、垂直同期信号ＶＳＹＮＣの立下りのタイミングで、第１のノイズ除去信号ＶＳＣがＨｉに戻る前のＬｏレベルを出力選択部３００のＮＡＮＤゲート３１０に出力する（例えば、時刻ｔ３）。これにより、出力選択部３００は、Ｌｏレベルの判別結果信号ＦＶＤＥＴを出力端子４０に出力する。ＮＴＳＣ信号が入力されている間、判別結果信号ＦＶＤＥＴは常にＬｏレベルとなる。
【００７６】
時刻ｔＡ以降、ＰＡＬ信号が入力されると、上述したように、自己リセット信号ａのタイミングで、第１のノイズ除去信号ＶＳＣはＬｏからＨｉに戻る。そのため、垂直同期信号ＶＳＹＮＣが到来したとき（例えば、時刻ｔ６）、第１のノイズ除去信号ＶＳＣはＨｉレベルである。フリップフロップ２１０は、垂直同期信号ＶＳＹＮＣの立下りのタイミングで、このＨｉレベルの第１のノイズ除去信号ＶＳＣをサンプリングして、出力選択部３００のＮＡＮＤゲート３１０に出力する。出力選択部３００は、Ｈｉレベルの判別結果信号ＦＶＤＥＴ信号を出力端子４０に出力する。ＰＡＬ信号が入力されてからは、判別結果信号ＦＶＤＥＴは常にＨｉレベルとなる。
【００７７】
このように、ＮＴＳＣ信号を入力している間は、判別結果信号ＦＶＤＥＴがＬｏであり、ＰＡＬ信号が入力され始めると、判別結果信号ＦＶＤＥＴがＨｉに変わる。よって、判別結果信号ＦＶＤＥＴにより、入力信号がＮＴＳＣ信号からＰＡＬ信号に変わったことを判別できる。
【００７８】
２．３．２  ＰＡＬモードのとき
図９のモード設定信号ＰＡＬＭＯＤＥがＨｉのとき（ＰＡＬモード）の動作について説明する。モード設定信号ＰＡＬＭＯＤＥがＨｉのとき（ＰＡＬモード）、図２に示す出力選択部３００は、ＮＡＮＤゲート３２０を通過する信号を出力端子４０に出力する。すなわち、ＮＡＮＤゲート３２０に入力される判別結果ラッチ部２００のフリップフロップ２２０の出力信号が出力端子４０に出力される。フリップフロップ２２０は、クロック端子に入力される垂直同期信号の反転信号ＮＶＳＹＮＣの立ち上がりのタイミングで、すなわち、図９に示す垂直同期信号ＶＳＹＮＣの立下りのタイミングで、インバータ２３０を介して入力される第１のノイズ除去信号ＶＳＣの反転信号ＮＶＳＣをサンプリングする。
【００７９】
ＰＡＬモードでＰＡＬ信号が入力されている間、上述したように、外部リセット信号ｂのタイミングで、第１のノイズ除去信号ＶＳＣはＬｏからＨｉに戻る。すなわち、インバータ２３０を介して反転される、第１のノイズ除去信号ＶＳＣの反転信号ＮＶＳＣは、外部リセット信号ｂのタイミングで、ＨｉからＬｏに戻る。フリップフロップ２２０は、垂直同期信号ＶＳＹＮＣの立下りのタイミングで、反転信号ＮＶＳＣがＨｉからＬｏに戻る前のＨｉレベルを出力選択部３００のＮＡＮＤゲート３２０に出力する（例えば、時刻ｔ３）。出力選択部３００は、Ｈｉレベルの判別結果信号ＦＶＤＥＴを出力端子４０に出力する。ＰＡＬ信号が入力されている間、判別結果信号ＦＶＤＥＴは常にＨｉレベルとなる。
【００８０】
時刻ｔＡ以降、ＮＴＳＣ信号が入力されると、上述したように、自己リセット信号ａのタイミングで、第１のノイズ除去信号ＶＳＣはＬｏからＨｉに戻る。そのため、垂直同期信号ＶＳＹＮＣが到来したとき（時刻ｔ４や時刻ｔ７）、第１のノイズ除去信号ＶＳＣはＨｉレベルである。すなわち、第１のノイズ除去信号ＶＳＣの反転信号ＮＶＳＣは、Ｌｏレベルである。フリップフロップ２２０は、垂直同期信号ＶＳＹＮＣの立ち下がりのタイミングで、反転信号ＮＶＳＣのＬｏレベルをサンプリングして、出力選択部３００のＮＡＮＤゲート３２０に出力する。出力選択部３００は、Ｌｏレベルの判別結果信号ＦＶＤＥＴを出力端子４０に出力する。ＮＴＳＣ信号が入力されてからは、判別結果信号ＦＶＤＥＴは常にＬｏレベルとなる。
【００８１】
このように、ＮＴＳＣモードとＰＡＬモードのいずれにおいても、ＮＴＳＣ信号を入力している間は、判別結果信号ＦＶＤＥＴがＬｏであり、ＰＡＬ信号を入力している間は、判別結果信号ＦＶＤＥＴがＨｉになる。これにより、入力信号がＮＴＳＣ信号かＰＡＬ信号か判別することができる。よって、ＮＴＳＣモードの設定（ＰＡＬＭＯＤＥ＝Ｌｏ）のときに、入力信号がＮＴＳＣ信号からＰＡＬ信号に変われば、ＰＡＬ信号に変わったことを検知して、自動で、ＰＡＬモード（ＰＡＬＭＯＤＥ＝Ｈｉ）に設定を変更することができる。また、ＰＡＬモードの設定（ＰＡＬＭＯＤＥ＝Ｈｉ）のときに、入力信号がＰＡＬ信号からＮＴＳＣ信号に変われば、ＮＴＳＣ信号に変わったことを検知して、自動で、ＮＴＳＣモードに（ＰＡＬＭＯＤＥ＝Ｌｏ）に設定を変更することができる。
【００８２】
３．  まとめ
本実施形態は、所定のデコード値に達するとＬｏになり、カウンタ１１４がリセットされるとＨｉに戻る第１のノイズ除去信号ＶＳＣを生成し、この第１のノイズ除去信号ＶＳＣを利用して入力信号がＰＡＬ信号かＮＴＳＣ信号かを判別している。具体的には、垂直同期信号ＶＳＹＮＣが到来したときの第１のノイズ除去信号ＶＳＣのレベルがＰＡＬ信号とＮＴＳＣ信号とで異なることを利用して、判別結果ラッチ部２００により、垂直同期信号ＶＳＹＮＣの到来のタイミングで第１のノイズ除去信号ＶＳＣのレベルをサンプリングしている。これにより、ＰＡＬ信号かＮＴＳＣ信号かを判別している。さらに、判別結果ラッチ部２００の出力を出力選択部３００が選択する構成とすることによって、ＰＡＬモードとＮＴＳＣモードのいずれにおいても、ＰＡＬ信号とＮＴＳＣ信号とを示す判別結果信号ＦＶＤＥＴがそれぞれ同じレベルとなるようにしている。よって、ＬｏであればＮＴＳＣ信号、ＨｉであればＰＡＬ信号であることがわかる。
【００８３】
このように、本実施形態によれば、映像を表示する装置が通常備えている垂直系タイミングパルス信号群ＶＴＰＬＳを生成するためのカウンタ１１４のみで、ＮＴＳＣ信号とＰＡＬ信号の周波数の違いを判別することができる。よって、従来のような周波数を判別するためだけのカウンタを設ける必要がない。これにより、回路規模を縮小することができ、集積化した場合にチップのエリア面積を大幅に削減することができる。
【００８４】
本実施形態によれば、判別結果信号ＦＶＤＥＴに基づいて、モード設定信号ＰＡＬＭＯＤＥを切り換えている。よって、例えば、ＰＡＬモードに設定されている状態で、受信している信号がＰＡＬ信号からＮＴＳＣ信号に切りかわった場合、ＮＴＳＣモードに自動で切り換えることができる。これにより、垂直系パルス作成部１００のタイミングパルス作成部１１３は、受信している信号に応じた垂直系タイミングパルス信号群ＶＴＰＬＳを生成することができる。よって、本実施形態の垂直周波数判別回路を用いて映像表示装置を構成すれば、受信中にＰＡＬ信号とＮＴＳＣ信号が切り替わった場合であっても、自動で切り替わり後の映像信号を適切に表示することができる。
【００８５】
また、本発明の垂直系パルス作成部１００は、第１のノイズ除去信号ＶＳＣを生成して、外部リセット作成部１２２が垂直同期信号ＶＳＹＮＣを入力した後の一定期間、垂直同期信号ＶＳＹＮＣの入力受付を不可能な状態に制御している。よって、垂直同期信号ＶＳＹＮＣの到来後、ノイズが混入された信号が到来しても、カウンタ１１４が誤ってリセットされることを防ぐことができる。これにより、第１のノイズ除去信号ＶＳＣの信頼性が高まり、入力信号に対応した正確な判別結果信号ＦＶＤＥＴを出力することが可能となる。
【００８６】
４．  変形例
なお、本実施形態においては、ＮＴＳＣモードのときに、ＮＴＳＣ信号からＰＡＬ信号に切り替わるときの動作について説明し、ＰＡＬモードのときに、ＰＡＬ信号からＮＴＳＣ信号に切り替わるときの動作について説明したが、逆の順序でＮＴＳＣ信号とＰＡＬ信号とが切り替わる場合であっても、垂直同期信号ＶＳＹＮＣの周波数を判別することができる。例えば、ＮＴＳＣモードのときに、ＰＡＬ信号からＮＴＳＣ信号に切り替わったときや、ＰＡＬモードのときに、ＮＴＳＣ信号からＰＡＬ信号に切り替わった場合であっても、垂直同期信号ＶＳＹＮＣの周波数が切り替わったことを判別できる。
【００８７】
なお、図５のカラーシステムの設定方法は、本実施形態の映像表示装置により実行されるとして説明したが、この方法を実現する装置は本実施形態の映像表示装置に限定されない。同様に、図５のＳ７０４とＳ７０５を含む垂直周波数判別方法を実現する回路は、本実施形態の垂直周波数判別回路１０００に限定されない。例えば、垂直周波数判別方法を実現する回路は、周波数を判別するための専用のカウンタを用いずに、垂直系タイミングパルス信号群を生成するためのカウンタ１１４を用いて第１のノイズ除去信号ＶＳＣを生成し、垂直同期信号ＶＳＹＮＣの周波数を判別する回路であれば良い。
【００８８】
また、本実施形態においては、垂直同期信号ＶＳＹＮＣの到来のタイミングで第１のノイズ除去信号ＶＳＣをサンプリングしたが、第１のノイズ除去信号ＶＳＣをサンプリングするタイミングは、限定されない。第１のノイズ除去信号ＶＳＣのレベルがＰＡＬ信号とＮＴＳＣ信号とで異なることが利用できるタイミングであれば良い。例えば、垂直時間周期を持つ垂直系タイミングパルス信号群ＶＴＰＬＳの１つに基づくタイミングで、第１のノイズ除去信号ＶＳＣをサンプリングしても良い。
【産業上の利用可能性】
【００８９】
本発明の垂直周波数判別回路によれば、チップ面積を削減して、ＮＴＳＣ信号とＰＡＬ信号とを判別することができるという効果を有し、映像信号を表示する装置やシステム等に有用である。
【図面の簡単な説明】
【００９０】
【図１】本発明の映像表示装置の構成図
【図２】図１の垂直周波数判別回路の構成図
【図３】図２の垂直系パルス作成部の構成図
【図４】（ａ）は自己リセット作成部の真理値表、（ｂ）は外部リセット作成部の真理値表
【図５】本発明のカラーシステムの設定方法を示すフローチャート
【図６】垂直周波数判別回路がＮＴＳＣモードに設定されている場合の垂直系パルス作成部の動作を示すタイミング図
【図７】垂直周波数判別回路がＰＡＬモードに設定されている場合の垂直系パルス作成部の動作を示すタイミング図
【図８】垂直周波数判別回路がＮＴＳＣモードに設定されている場合の垂直周波数判別回路の動作を示すタイミング図
【図９】垂直周波数判別回路がＰＡＬモードに設定されている場合の垂直周波数判別回路の動作を示すタイミング図
【符号の説明】
【００９１】
１０、２０、３０        入力端子
４０、５０              出力端子
１００                  垂直系パルス作成部
１１０                  カウンタデコーダ部
１１１、１１２          デコードセレクタ
１１３                  タイミングパルス作成部
１１４                  カウンタ
１２０                  リセットパルス作成部
１２１                  自己リセット作成部
１２２                  外部リセット作成部
１２３                  ＡＮＤゲート
１３０                  ＯＲゲート
２００                  判別結果ラッチ部
２１０、２２０          フリップフロップ
２３０                  インバータ
３００                  出力選択部
３１０、３２０、３３０  ＮＡＮＤゲート
３４０                  インバータ
１０００                垂直周波数判別回路
２０００                水平系パルス作成部
３０００                同期分離回路
【図１】
2008125060.tif 000003
【図２】
2008125060.tif 000004
【図３】
2008125060.tif 000005
【図４】
2008125060.tif 000006
【図５】
2008125060.tif 000007
【図６】
2008125060.tif 000008
【図７】
2008125060.tif 000009
【図８】
2008125060.tif 000010
【図９】
2008125060.tif 000011